(57)【要約】【課題】ロック状態およびアンロック状態のいずれに切り替えた場合でも、その状態を電力消費を伴うことなく維持可能で、簡単な制御にてロック状態またはアンロック状態へ切り替え可能な不正開放防止装置、および遊技場の島設備を提供すること。【解決手段】不正開放防止装置１において、モーター２１を回転させると回転部材２３が図中反時計回りに回転する。このとき、ストッパー１６（スライダー１７およびピン１８）は、爪車１５に引っかかるロック位置にあれば、回転部材２３に押されて、爪車１５から離れるアンロック位置に変位する一方、アンロック位置にあれば、回転部材２３に押されて、ロック位置に変位する。そして、ストッパー１６がロック位置またはアンロック位置に変位したことをマイクロスイッチ２５で検出したら、モーター２１の回転を停止させる。これにより、ロック状態またはアンロック状態への切り替えが完了する。【選択図】図２
0003125934.tif 000002
【実用新案登録請求の範囲】
【請求項１】
開閉動作可能に構成された開閉部が不正に開放されるのを防止する不正開放防止装置であって、
一端が前記開閉部に連結されるワイヤと、
該ワイヤの他端が連結され、前記開閉部を閉じるときには順方向へ回転して前記ワイヤを巻き取る一方、前記開閉部を開くときには逆方向へ回転して前記ワイヤを繰り出すリールと、
任意に湾曲させて配設可能で、前記ワイヤの前記リールから繰り出された部分が内部に通されたチューブと、
前記リールとともに回転する爪車と、
前記爪車に引っかかることにより、前記爪車が前記逆方向へ回転するのを妨げる状態となるロック位置、または前記爪車から離れることにより、前記爪車が前記逆方向へ回転するのを妨げない状態となるアンロック位置へ変位可能なストッパーと、
前記ストッパーを前記ロック位置へ変位させる方向へ付勢する付勢部材と、
回転軸を単一方向に回転させるモーターと、
前記モーターに駆動されて単一方向に回転し、その回転に伴って、前記ストッパーが前記付勢部材からの付勢力によって前記ロック位置へ変位するのを妨げない第１の状態、または前記付勢部材の付勢力に抗して前記ストッパーを前記ロック位置から前記アンロック位置へと変位させる第２の状態になる回転部材と、
前記ストッパーの位置または前記回転部材の回転角のいずれかに基づいて、前記ストッパーの位置が前記ロック位置または前記アンロック位置のいずれか一方から他方へ変位したことを検出可能な検出手段と
を備え、
前記モーターへ電力を供給することにより、前記ストッパーを前記ロック位置または前記アンロック位置のいずれか一方の位置から他方の位置へと変位させることができ、しかも、当該変位が前記検出手段によって検出されたら、前記モーターへの電力供給を停止することにより、前記ストッパーを前記他方の位置へ変位した状態で保持可能に構成した
ことを特徴とする不正開放防止装置。
【請求項２】
前記回転部材は、回転中心を軸としてｎ回回転対称となる形状（ただし、ｎはｎ≧２なる整数）とされている
ことを特徴とする請求項１に記載の不正開放防止装置。
【請求項３】
前記検出手段は、前記ストッパーの位置または前記回転部材の回転角のいずれかに基づいて、前記ストッパーの位置が前記ロック位置または前記アンロック位置のいずれにあるのかを検出可能である
ことを特徴とする請求項１または請求項２に記載の不正開放防止装置。
【請求項４】
請求項１〜請求項３のいずれかに記載の不正開放防止装置を備えていることを特徴とする遊技場の島設備。
【考案の詳細な説明】
【技術分野】
【０００１】
本考案は、不正開放防止装置、および遊技場の島設備に関する。
【背景技術】
【０００２】
従来、パチンコ機に代表される弾球遊技機、あるいは回胴式遊技機（以下、これらを総称して単に遊技機という）において、遊技機の内部に配設されたＲＯＭや基板が、不正なものと交換されることが問題となっている。
【０００３】
例えば、遊技場の営業時間外に遊技場に忍び込んだ者が、遊技機の前枠を開いて正規なＲＯＭや基板を不正なＲＯＭや基板と交換し、これにより、いわゆる大当たりの発生確率を高くしたり、大当たりの連続発生回数を増大させたりするなどの不正改造が行われる。このような不正改造が行われた場合、そのことを承知で来店した不正な遊技者が特殊な操作等を行うと、通常の遊技では得られないような多量の賞球またはメダルを獲得することができてしまうため、遊技場は多大な金銭的被害を被ることになる。
【０００４】
このような問題に対処するための一手段として、本願出願人は、既に下記特許文献１，２に記載の如き不正開放防止装置を提案している。このような装置を用いれば、遊技場の営業時間外に遊技機の前枠を開放することができなくなるので、上記のような不正改造を防止することができた。
【特許文献１】特開２００４−１７３７６１号公報
【特許文献２】特開２００５−１１８３８３号公報
【考案の開示】
【考案が解決しようとする課題】
【０００５】
しかしながら、上記特許文献１，２に記載の技術には、以下に述べる通り、未だ改良の余地が残されていた。
まず、上記特許文献１に記載の技術においては、装置内にソレノイドが組み込まれている。そして、このソレノイドへ通電すると、ロック状態となっている装置をアンロック状態に切り替えることができ、ソレノイドへの通電を停止すると、装置をロック状態に戻すことができるようになっていた。
【０００６】
しかし、このような構成を採用すると、長時間にわたってアンロック状態を維持しようとする場合に、長時間にわたってソレノイドへの通電が続くことになるため、どうしてもソレノイドから熱が発生する。そのため、装置内部に耐熱性の低い電気部品が配設されている場合には、そのような電気部品の故障を招くおそれがあった。また、ケースやその他の樹脂部品については、相応に耐熱性の高い樹脂材料で形成しないと、変形等の問題を招くおそれがあった。
【０００７】
この点、上記特許文献２に記載の技術においては、装置内にモーターが組み込まれており、ロック状態とアンロック状態を切り替えるときにのみモーターへ通電し、ロック状態またはアンロック状態を維持する際には、モーターへの通電を停止できるように構成されていた。したがって、このような構成を採用すれば、長時間にわたってアンロック状態を維持しようとする場合にも、長時間にわたってモーターへの通電が続くことはなく、モーターから発生する熱が問題となることはない。
【０００８】
しかし、上記特許文献２に記載の技術は、ロック状態に切り替える場合とアンロック状態に切り替える場合とで、モーターの回転方向を反転させる必要があるため、正逆両方向に回転軸を回転させることができるように構成されたモーターや、そのような反転制御を行うための制御基板が必要となり、その分だけ装置の製造コストが増大するという問題があった。また、ロック状態になっているかアンロック状態になっているのかをあらかじめ判断した上で、モーターの回転方向を制御しなければならないため、その制御手順が煩雑になるという問題もあった。
【０００９】
なお、遊技場において、遊技機の前枠のように開閉動作可能に構成された開閉部は、遊技機以外の機器にも採用されており、例えば、両替機・玉貸機・メダル貸機などにも、同種の開閉部が設けられている。この種の機器においても、開閉部の不正開放は問題になっており、例えば、両替機・玉貸機・メダル貸機などの機器が不正に開放されて、内部から金銭が盗まれるなどの被害が発生している。
【００１０】
本考案は、これらの諸問題を解決するためになされたものであり、その目的は、ロック状態およびアンロック状態のいずれに切り替えた場合でも、その状態を電力消費を伴うことなく維持可能で、しかも、従来品よりも簡単な制御にてロック状態またはアンロック状態のいずれか一方の状態を他方の状態へ切り替え可能な不正開放防止装置、および遊技場の島設備を提供することにある。
【課題を解決するための手段】
【００１１】
以下、本考案において採用した構成について説明する。
本考案の不正開放防止装置は、開閉動作可能に構成された開閉部が不正に開放されるのを防止する不正開放防止装置であって、一端が前記開閉部に連結されるワイヤと、該ワイヤの他端が連結され、前記開閉部を閉じるときには順方向へ回転して前記ワイヤを巻き取る一方、前記開閉部を開くときには逆方向へ回転して前記ワイヤを繰り出すリールと、任意に湾曲させて配設可能で、前記ワイヤの前記リールから繰り出された部分が内部に通されたチューブと、前記リールとともに回転する爪車と、前記爪車に引っかかることにより、前記爪車が前記逆方向へ回転するのを妨げる状態となるロック位置、または前記爪車から離れることにより、前記爪車が前記逆方向へ回転するのを妨げない状態となるアンロック位置へ変位可能なストッパーと、前記ストッパーを前記ロック位置へ変位させる方向へ付勢する付勢部材と、回転軸を単一方向に回転させるモーターと、前記モーターに駆動されて単一方向に回転し、その回転に伴って、前記ストッパーが前記付勢部材からの付勢力によって前記ロック位置へ変位するのを妨げない第１の状態、または前記付勢部材の付勢力に抗して前記ストッパーを前記ロック位置から前記アンロック位置へと変位させる第２の状態になる回転部材と、前記ストッパーの位置または前記回転部材の回転角のいずれかに基づいて、前記ストッパーの位置が前記ロック位置または前記アンロック位置のいずれか一方から他方へ変位したことを検出可能な検出手段とを備え、前記モーターへ電力を供給することにより、前記ストッパーを前記ロック位置または前記アンロック位置のいずれか一方の位置から他方の位置へと変位させることができ、しかも、当該変位が前記検出手段によって検出されたら、前記モーターへの電力供給を停止することにより、前記ストッパーを前記他方の位置へ変位した状態で保持可能に構成したことを特徴とする。
【００１２】
この不正開放防止装置において、ワイヤは、悪意を持って切断されるようなことが無い限り、通常の運用では切れない程度の強度を有し、且つ、リールに巻き取ることができる程度の柔軟性を有する線状体であり、例えば、金属製のワイヤなどが好適である。ただし、上記のような条件を満足するものであれば、金属以外の材料（例えば、アラミド樹脂等の樹脂材料）で形成されたワイヤであってもよい。また、ワイヤの微視的な構造については限定されず、例えば、細線を撚り合わせたような構造になっていても、鎖のような構造になっているものでもよい。
【００１３】
リールは、少なくともワイヤを巻き取るときの回転方向（本考案でいう順方向）へは能動的に回転してワイヤを巻き取ることができるものである。また、ワイヤを繰り出すときの回転方向（本考案でいう逆方向）へはワイヤが引っ張り出されるのに伴って受動的に回転するか、必要があればいくらか能動的に回転するかして、ワイヤを繰り出すことができるものである。能動的に回転する構造としては、例えば、引っ張り出されるワイヤに従動してリールが回転すると締まるゼンマイを設けて、ゼンマイの力でリールが能動的に回転してワイヤを巻き取るような構造を採用すればよい。また、モーターなどの動力源を設けて、その動力源からの力でリールを回転駆動するような構造を採用しても構わない。
【００１４】
チューブは、任意に湾曲させることができる程度の柔軟性は有するものの、軸方向へは伸縮せず、湾曲させても内腔がつぶれない程度の強度を有するものである。また、内部にワイヤが通されて、ワイヤが軸方向に摺動するため、内面の摩擦抵抗が小さいものほど望ましい。
【００１５】
爪車、ストッパー、および付勢部材は、ストッパーがロック位置に変位した状態にある場合に、爪車を一方向にのみ回転させるラチェット機構を構成することになる部材である。詳しくは、ストッパーは、付勢部材によって爪車側に付勢されていて、この付勢力によって常に爪車に引っかかるロック位置へと変位しようとする状態にある。ストッパーがロック位置に変位した状態にある場合、リールを逆方向へ回転させる力が作用しても、ストッパーが爪車に引っかかるため、爪車の逆方向への回転は阻止されることになる。また、ストッパーがロック位置に変位した状態にある場合、リールを順方向へ回転させる力が作用すると、爪車が付勢部材の付勢力に抗してストッパーを押し退けるため、爪車の正方向への回転が妨げられることはない。したがって、ストッパーがロック位置に変位した状態にある場合、ラチェット機構が構成されることになり、爪車は一方向にのみ回転することになる。一方、ストッパーがアンロック位置に変位した状態にある場合、ストッパーは爪車から離れ、爪車は正逆両方向へ自由に回転できる状態になる。したがって、リールを順方向へ回転させる力が作用した場合はもちろんのこと、リールを逆方向へ回転させる力が作用した場合でも、ストッパーが爪車に引っかかることはなく、爪車およびリールは自由に回転できる状態になる。
【００１６】
モーター、および回転部材は、ストッパーを爪車に引っかかる位置へと変位させたり爪車に引っかからない位置へと変位させたりする機構を、上記付勢部材とともに構成するものである。
【００１７】
検出手段は、ストッパーの位置がロック位置またはアンロック位置のいずれか一方から他方へ変位したことを検出可能な手段であり、例えば、接触式のリミットスイッチや非接触で物体の位置を検出する光センサや磁気センサなどを、検出手段として採用することができる。また、この検出手段は、ストッパーの位置がロック位置またはアンロック位置のいずれか一方から他方へ変位したときにパルス信号を出力するような検出手段であっても、ストッパーの位置がロック位置またはアンロック位置いずれにあるのかに応じてオン／オフが切り替わるような検出手段であってもよい。さらに、ストッパーの位置と回転部材の回転角は、所定の対応関係を持っているので、ストッパーの位置を検出するに当たって、検出手段は、ストッパーの位置そのものを検出するように構成されていてもよいし、回転部材の回転角を検出することにより、それに対応するストッパーの位置を検出したものとして扱うように構成されていてもよい。
【００１８】
以上のように構成された不正開放防止装置は、チューブの先端を開閉部（例えば、遊技機の前枠）とともに移動しない箇所（例えば、遊技機本体）に固定し、その先端から引き出されるワイヤを開閉部に連結して使用される。
【００１９】
この状態において、開閉部を閉じ、リールでワイヤを巻き取ってからストッパーをロック位置へ変位させると、ストッパーは、リールが正方向に回転するのを妨げず、且つ、リールの逆回転を阻止する状態になるので、開閉部を開放不能な状態にすることができる。また、ストッパーをアンロック位置へ変位させると、開閉部の開放に伴ってワイヤが繰り出されるので、開閉部の開放が妨げられない状態となる。したがって、この不正開放防止装置を、例えば遊技機に取り付けた場合であれば、遊技機の前枠を不正に開放する操作を防止することができる。また、例えば両替機・玉貸機・メダル貸機などの機器に取り付けた場合であれば、これらの機器が不正に開放されて、内部から金銭が盗まれるなどの被害が発生するのを防止することができる。
【００２０】
また特に、上記のように構成された不正開放防止装置においては、モーターを作動させると回転部材が回転し、その回転角に応じて回転部材が第１の状態または第２の状態となる。したがって、ストッパーをロック位置またはアンロック位置いずれの位置へ変位させる場合であっても、モーターに対しては単に電力を供給し、ロック位置またはアンロック位置への変位が検出手段によって検出されたら、モーターへの電力供給を停止するだけでよい。
【００２１】
よって、ソレノイドのようなアクチュエータとは異なり、アンロック状態を維持するために電力を供給し続ける必要はなく、そのようなアクチュエータからの熱で、内部の電子部品が故障するといった問題を招かず、また、耐熱性のあるケースを採用せざるを得ないといった問題を招くこともない。
【００２２】
また、ストッパーをロック位置またはアンロック位置いずれの位置へ変位させる場合であっても、モーターを単一方向に回転させるだけでよいので、モーターの回転方向を考慮した制御を行う必要がない。よって、正逆両方向に回転軸を回転させることができるように構成されたモーターや、そのような反転制御を行うための制御基板は不要となり、その分だけ装置の製造コストを抑制することができる。また、ロック状態になっているかアンロック状態になっているのかをあらかじめ判断しなくても、単にモーターを作動させれば、ロック状態とアンロック状態とを切り替えることができるので、ロック状態にするかアンロック状態にするかでモーターに対する制御が異なる制御になるものに比べ、制御手順が簡素化される。
【００２３】
なお、本考案においては、さらに以下のような構成を備えていても好ましい。
まず、本考案の不正開放防止装置において、前記回転部材は、回転中心を軸としてｎ回回転対称となる形状（ただし、ｎはｎ≧２なる整数）とされているとよい。
【００２４】
このような形状に構成された回転部材を用いれば、１／ｎ回転する毎に回転部材が第１の状態から第２の状態となって再び第１の状態に戻ることになり、換言すれば、回転部材が１回転する間には、第１の状態となる位相および第２の状態となる位相が交互にｎ回ずつ現れることになる。したがって、１回転させないと同じ状態に戻らない回転部材に比べ、回転部材の回転量を抑制することができ、電力消費の抑制および可動部品の摩耗抑制などを図ることができる。
【００２５】
また、本考案の不正開放防止装置において、前記検出手段は、前記ストッパーの位置または前記回転部材の回転角のいずれかに基づいて、前記ストッパーの位置が前記ロック位置または前記アンロック位置のいずれにあるのかを検出可能であるとよい。
【００２６】
このように構成された検出手段を用いれば、ストッパーの位置がロック位置またはアンロック位置のいずれか一方から他方へ変位したことを検出できるのはもちろんのこと、ストッパーの位置がロック位置またはアンロック位置のいずれにあるのかをも検出することができる。したがって、ストッパーの位置がロック位置またはアンロック位置のいずれに変位したのかを、モーターの作動開始および作動停止を繰り返す毎に別途記憶しておくようなことをしなくても、検出手段の検出結果から任意のタイミングでストッパーの位置を判断できるようになる。
【００２７】
さらに、以上説明した不正開放防止装置は、一つの独立した装置として構成し、後付で遊技機や島設備に付加するように構成してあってもよいが、初めから島設備の一部として組み込まれていてもよい。
【００２８】
すなわち、請求項１〜請求項３のいずれかに記載の遊技機用の不正開放防止装置を備えている遊技場の島設備として提供することも可能である。
この場合、島設備からは上述のチューブが延びている状態になっていて、遊技機を島設備に設置する際には、チューブの先端が遊技機の前枠との位置関係を考慮して適切な位置に固定される。遊技場においては、遊技機の入れ替えをしばしば行うが、この場合でも、遊技機本体からチューブの先端を取り外し、前枠からワイヤの先端を取り外すだけで、リール等の構造物はいちいち取り外すことなく、遊技機の入れ替えを行って、新しい遊技機に不正開放防止装置を取り付け直すことができる。
【００２９】
なお、不正開放防止装置を島設備とは別の独立した装置として構成した場合でも、リール等の構造物を島設備に対して固定すれば、遊技機の入れ替えを行った際に、新しい遊技機に不正開放防止装置を取り付け直す手間を省くことができる。
【考案を実施するための最良の形態】
【００３０】
次に、本考案の実施形態について一例を挙げて説明する。
図１に示すように、不正開放防止装置１は、ケース３、チューブ４、ワイヤ５、チューブ固定具６、およびワイヤ固定具７を備えている。
【００３１】
また、ケース３の内部には、図２（ａ）、同図（ｂ）、および図３に示すように、リール１１、ゼンマイ１３、爪車１５、ストッパー１６（スライダー１７およびピン１８）、コイルスプリング１９、モーター２１、回転部材２３、およびマイクロスイッチ２５などが組み込まれている。
【００３２】
リール１１は、ケース３の内側に突設された軸に取り付けられ、この軸を中心にして順逆両方向に回転可能となっている。このリール１１の外周部には、ワイヤ５の一端が連結され、順方向（図２（ａ）において反時計回りとなる方向）へ回転した際に、ワイヤ５を巻き取るように構成されている。また、ワイヤ５を巻き取った状態において、ワイヤ５がケース３の外部へと引き出された際には、逆方向（図２（ａ）において時計回りとなる方向）へ回転し、巻き取っていたワイヤ５を繰り出すことができるようになっている。
【００３３】
ゼンマイ１３は、リール１１の中央部に組み込まれている。ゼンマイ１３の内側にある一端は、リール１１の回転中心となっている軸に対して固定されるとともに、ゼンマイ１３の外側にある一端は、リール１１に対して固定され、リール１１を逆方向（図２（ａ）において時計回りとなる方向）へ回転させるほど、ゼンマイ１３が締まるようになっている。
【００３４】
このゼンマイ１３は、あらかじめいくらか締まる方向へ変形した状態でリール１１の内側に組み込まれ、これにより、ゼンマイ１３が常にリール１１を順方向に回転させるように付勢する状態になっている。また、ワイヤ５がケース３から引っ張り出される方向（図２（ａ）において右方向）へ力が作用した際には、ゼンマイ１３の付勢力に逆らってリール１１が逆方向へ回転し、ゼンマイ１３がさらに締まる。そのため、ワイヤ５を引っ張り出す方向への力をゆるめると、ゼンマイ１３の力でリール１１が順方向へ回転し、ワイヤ５がリール１１に巻き取られる。
【００３５】
爪車１５は、リール１１に固定されたもので、常にリール１１と一体に回転するようになっている。
ストッパー１６は、ケース３内に形成されたガイドレール等（図示略）によってスライド動作できるように支持されたスライダー１７と、このスライダー１７に固定されたピン１８とによって構成されている。このストッパー１６は、ピン１８が爪車１５に引っかかるロック位置（図２（ａ）および同図（ｂ）参照）、またはピン１８が爪車１５から離れるアンロック位置（図３参照）へ変位可能に構成されている。
【００３６】
コイルスプリング１９は、ストッパー１６を上記ロック位置へ変位させる方向へ付勢する付勢部材である。
これら爪車１５、ストッパー１６、およびコイルスプリング１９は、ストッパー１６がロック位置に変位した状態にある場合に、爪車１５を一方向にのみ回転させるラチェット機構を構成している。
【００３７】
詳しくは、ストッパー１６は、コイルスプリング１９によって爪車１５側に付勢されていて、この付勢力によって常に爪車１５に引っかかるロック位置へと変位しようとする状態にある。
【００３８】
この付勢力により、ストッパー１６がロック位置に変位した状態にある場合、リール１１を逆方向へ回転させる力が作用しても、ストッパー１６のピン１８が爪車１５に引っかかるため、爪車１５の逆方向への回転は阻止されることになる。また、ストッパー１６がロック位置に変位した状態にある場合、リール１１を順方向へ回転させる力が作用すると、爪車１５がコイルスプリング１９の付勢力に抗してストッパー１６を押し退けるため、爪車１５の正方向への回転が妨げられることはない。したがって、ストッパー１６がロック位置に変位した状態にある場合には、ラチェット機構が構成されることになり、爪車１５は一方向にのみ回転することになる。
【００３９】
一方、ストッパー１６がアンロック位置に変位した状態にある場合、ストッパー１６のピン１８は爪車１５から離れ、爪車１５は正逆両方向へ自由に回転できる状態になる。したがって、リール１１を順方向へ回転させる力が作用した場合はもちろんのこと、リール１１を逆方向へ回転させる力が作用した場合でも、ストッパー１６が爪車１５に引っかかることはなく、爪車１５およびリール１１は自由に回転できる状態になる。
【００４０】
モーター２１は、回転軸２１ａを単一方向（本実施形態の場合、図２（ａ）および図３において反時計回りとなる方向）に回転させることができるものである。
回転部材２３は、モーター２１に駆動されて単一方向（本実施形態の場合、図２（ａ）および図３において反時計回りとなる方向）に回転するものである。この回転部材２３は、回転に伴って状態が切り替わり、ストッパー１６がコイルスプリング１９からの付勢力によってロック位置へ変位するのを妨げない第１の状態（図２（ａ）および同図（ｂ）参照）になったり、コイルスプリング１９の付勢力に抗してストッパー１６をロック位置からアンロック位置へと変位させる第２の状態（図３参照）になったりする。
【００４１】
これらモーター２１、および回転部材２３は、ストッパー１６を、爪車１５に引っかかるロック位置へと変位させたり爪車１５に引っかからないアンロック位置へと変位させたりする機構を、上記コイルスプリング１９とともに構成するものである。
【００４２】
詳しくは、回転部材２３の回転角がある範囲内となっている場合、回転部材２３は、ストッパー１６がコイルスプリング１９の付勢力によってロック位置へ変位するのを妨げない第１の状態になる（図２（ａ）および同図（ｂ）参照）。
【００４３】
一方、回転部材２３を回転させると、ストッパー１６に形成された当接面１７ａに回転部材２３の接触端２３ａが当接し、回転部材２３からの押圧力を受けたストッパー１６がロック位置からアンロック位置へ変位する。すなわち、回転部材２３は、コイルスプリング１９の付勢力に抗してロック位置からアンロック位置へ変位させる第２の状態になる（図３参照）。
【００４４】
回転部材２３の形状は、４回回転対称となる形状（９０度回転する毎に同一形状となる形状）になっているため、１／４回転する毎に回転部材２３が第１の状態から第２の状態となって再び第１の状態に戻ることになり、換言すれば、回転部材２３が１回転する間には、第１の状態となる位相および第２の状態となる位相が交互に４回ずつ現れることになる。したがって、１回転させないと同じ状態に戻らない回転部材に比べ、回転部材２３の回転量を抑制することができ、電力消費の抑制および可動部品の摩耗抑制などを図ることができる。
【００４５】
マイクロスイッチ２５は、本考案でいう検出手段の一例に相当する接触式のリミットスイッチで、ストッパー１６の位置がロック位置またはアンロック位置のいずれにあるかに応じてオン／オフが切り替わるようになっている。より詳しくは、マイクロスイッチ２５は、ストッパー１６に突設された突起１７ｂが当接する位置に配置され、ストッパー１６がロック位置またはアンロック位置のいずれかに変位すると、突起１７ｂによってオン／オフが切り替えられるようになっている。
【００４６】
以上のように構成された不正開放防止装置１は、例えば、遊技機本体の正面側に開閉可能な前枠を備える遊技機に対して装着される。その際、ケース３は島設備上などの任意の場所に固定することができる。
【００４７】
そして、チューブ固定具６とワイヤ固定具７との適切な位置関係を考慮しつつ、チューブ４を所望の形状に湾曲させて遊技機内部へ導入し、チューブ固定具６が遊技機本体側にねじ止め固定され、ワイヤ固定具７が遊技機の前枠にねじ止め固定される。
【００４８】
このとき、チューブ４は、極端に折り曲げるようなことさえしなければ、自由に湾曲させることができ、また、チューブ４の長さが許容する範囲内であれば、ケース３の取付位置も自由に設定することができる。
【００４９】
こうして不正開放防止装置１を遊技機に対して取り付けた状態において、ストッパー１６の位置をロック位置またはアンロック位置へ切り替えることにより、不正開放防止装置１をロック状態またはアンロック状態にすることができる。ストッパー１６の位置を切り替える方法については、後から詳しく説明する。
【００５０】
ストッパー１６の位置をロック位置に切り替えた場合、その状態で前枠を閉めると、ゼンマイ１３の力でリール１１が正方向に回転し、ワイヤ５のゆるみがなくなるまでワイヤ５がリール１１に巻き取られる。また、ワイヤ５がリール１１に巻き取られた状態において、爪車１５にストッパー１６（ピン１８）が引っかかって爪車１５の逆方向への回転が阻止されるため、ワイヤ５を引っ張り出すことはできなくなり、これにより、遊技機の前枠を開放することができなくなる。
【００５１】
一方、ストッパー１６の位置をアンロック位置に切り替えた場合、爪車１５にストッパー１６のピン１８が引っかからなくなり、爪車１５の逆方向への回転が阻止されなくなるため、ワイヤ５を引っ張り出すことができるようになり、これにより、遊技機の前枠を開放することができるようになる。
【００５２】
次に、上記不正開放防止装置１の制御系について、図４（ａ）および同図（ｂ）に基づいて説明する。
上記不正開放防止装置１は、図４（ａ）および同図（ｂ）に示すように、制御部３１によってモーター２１の作動を制御するとともに、マイクロスイッチ２５のオン／オフを検出するように構成される。
【００５３】
ただし、制御部３１を不正開放防止装置１内に内蔵するか否かは限定されない。具体的には、例えば、図４（ａ）に示すように、不正開放防止装置１の外部に設けられた制御部３１と不正開放防止装置１との間で、モーター２１への制御信号およびマイクロスイッチ２５による検出信号を送受信するように構成してもよいし、図４（ｂ）に示すように、不正開放防止装置１の内部に設けられた制御部３１が、モーター２１に対する制御およびマイクロスイッチ２５による位置検出を実行するように構成してもよい。
【００５４】
また、遊技場係員がロック状態とアンロック状態との切り替えを指示する手段についても特に限定されない。一例を挙げれば、図４（ａ）および同図（ｂ）に示すように、リモコン３３およびリモコン信号受信部３５を設けて、遊技場係員がリモコン３３で所定の操作を行うと、その操作に応じて送信される信号がリモコン信号受信部３５において受信され、このリモコン信号受信部３５からの信号が制御部３１に伝達されたら、制御部３１がモーター２１に対する制御およびマイクロスイッチ２５による位置検出を実行するように構成すればよい。
【００５５】
あるいは、遊技場の管理室内に操作パネル３７を設けて、遊技場係員が操作パネル３７で所定の操作を行って、その操作に応じた信号が制御部３１に伝達されたら、制御部３１がモーター２１に対する制御およびマイクロスイッチ２５による位置検出を実行するように構成してもよい。
【００５６】
これらリモコン３３や操作パネル３７は、いずれか一方を採用してもよいが、両方を採用してもよい。また、両方を採用する場合、リモコン３３では、単一の不正開放防止装置１を対象にした操作を実施できるのに対し、操作パネル３７では、遊技場内にある複数の不正開放防止装置１を一括して対象にした操作を実施できる等、リモコン３３と操作パネル３７とで機能に違いを持たせてもよい。
【００５７】
さらに、ロック状態に切り替わったのかアンロック状態に切り替わったのかを、遊技場係員に知らせるためには、例えば、ランプ３９を設けて、アンロック状態に切り替わったときにランプ３９を点灯させるような制御を行ってもよい。もちろん、ランプ３９よりも複雑な情報を表示可能な表示器を設けて、そのような表示器にロック状態に切り替わったのかアンロック状態に切り替わったのかを表示するようにしてもよい。
【００５８】
次に、上記不正開放防止装置１において、ロック状態とアンロック状態とを切り替えるための処理について、図５に基づいて説明する。この処理は、所定の指令（例えば、遊技場係員によるリモコン３３操作に伴って制御部３１に伝達される指令）を制御部３１が受けたときに、制御部３１において実行される処理である。
【００５９】
この処理を開始すると、制御部３１は、まず、モーター２１を作動させる（Ｓ１）。このＳ１の処理により、モーター２１が作動して回転部材２３を回転させる。このとき、ロック状態からアンロック状態に切り替える場合であっても、アンロック状態からロック状態に切り替える場合であっても、モーター２１の回転方向は同じであるが、ストッパー１６がロック位置（図２（ａ）参照）にあれば、回転部材２３はストッパー１６をアンロック位置（図３参照）へと変位させることになる。一方、回転部材２３が回転したときに、ストッパー１６がアンロック位置（図３参照）にあれば、回転部材２３はストッパー１６をロック位置（図２（ａ）参照）へと変位させることになる。
【００６０】
上記Ｓ１の処理を終えた後、制御部３１は、マイクロスイッチ２５による検出信号の変化を監視して、マイクロスイッチ２５のオン／オフが切り替わらない間は（Ｓ２：ＮＯ）、Ｓ２の処理へと戻ることにより、マイクロスイッチ２５による検出信号の変化を監視し続ける。そして、マイクロスイッチ２５のオン／オフが切り替わった場合は（Ｓ２：ＹＥＳ）、モーター２１を停止させ（Ｓ３）、この処理を終了する。
【００６１】
以上のような処理により、ストッパー１６は、ロック位置（図２（ａ）参照）からアンロック位置（図３参照）へ変位するか、アンロック位置（図３参照）からロック位置（図２（ａ）参照）へ変位し、いずれかの位置で静止することになる。
【００６２】
以上説明したように、上記不正開放防止装置１によれば、ロック状態に切り替えることにより、開閉部を開放不能な状態にすることができるので、例えば遊技機に取り付けた場合であれば、遊技機の前枠を不正に開放する操作を防止することができる。また、例えば両替機・玉貸機・メダル貸機などの機器に取り付けた場合であれば、これらの機器が不正に開放されて、内部から金銭が盗まれるなどの被害が発生するのを防止することができる。
【００６３】
また、上記不正開放防止装置１においては、単一方向に回転するモーター２１を作動させるだけで、ロック状態とアンロック状態を切り替えることができるので、モーター２１に対しては単に電力を供給し、ロック位置またはアンロック位置への変位がマイクロスイッチ２５によって検出されたら、モーター２１への電力供給を停止するだけでよく、モーター２１の回転方向を考慮した制御を行う必要がない。
【００６４】
したがって、正逆両方向に回転軸を回転させることができるように構成されたモーターや、そのような反転制御を行うための制御基板は不要となり、その分だけ装置の製造コストを抑制することができる。
【００６５】
また、不正開放防止装置１がロック状態になっているかアンロック状態になっているのかをあらかじめ判断した上で制御を行わなくても、単にモーター２１を作動させれば、ロック状態とアンロック状態とを切り替えることができるので、ロック状態にするかアンロック状態にするかでモーターに対する制御が異なる制御になるものに比べ、制御手順が簡素化される。
【００６６】
さらに、不正開放防止装置１をロック状態またはアンロック状態のいずれに切り替えた場合でも、切り替え後は、モーター２１への電力供給を停止できるので、モーター２１からの熱がケース３の内部にこもることもない。したがって、ケース３内に設けられた電子部品が熱で故障したりせず、また、ケース３やその他の樹脂部品に過剰な耐熱性が要求されることもないので、この点でも製品の品質が安定するとともに、耐熱性の低い安価な部品や材料を使用できるので、コストダウンを図ることもできる。
【００６７】
以上、本考案の一実施形態について説明したが、本考案は上記一実施形態に限らず、上記とは別の種々の形態で実施することができる。
例えば、上記実施形態において、不正開放防止装置１は、遊技場の島設備および遊技機とは別体の装置として構成され、後から島設備に取り付ける旨の説明を行ったが、あらかじめ島設備の一部として不正開放防止装置が組み込まれていてもよい。この場合、上記ケース３は島設備の構成部品から独立した部品である必要はなく、例えば、島設備の一部を構成する部材に対して、直接リール１１等の構造物が組み付けられていてもよい。
【００６８】
また、上記実施形態では言及しなかったが、上記特許文献１，２に開示されているような仕組みを採用して、ワイヤ５の断線を検知するように構成してもよい。
また、上記実施形態では、ゼンマイ１３の力でワイヤ５を巻き取るように構成してあったが、モーターでリール１１を駆動してワイヤを巻き取るように構成してもよい。
【００６９】
さらに、上記実施形態では、マイクロスイッチ２５によって、ストッパー１６の位置そのものを検出していたが、ストッパー１６の位置と回転部材２３の回転角との間には一定の関係があるので、回転部材２３の回転角を検出できるように構成してもよく、この場合でも、その検出結果からストッパー１６の位置を検出することが可能である。
【図面の簡単な説明】
【００７０】
【図１】不正開放防止装置の外観を示す説明図。
【図２】不正開放防止装置がロック状態となっているときの内部構造を示す説明図。
【図３】不正開放防止装置がアンロック状態となっているときの内部構造を示す説明図。
【図４】不正開放防止装置の制御系を示すブロック図。
【図５】ロック−アンロック切替制御処理のフローチャート。
【符号の説明】
【００７１】
１・・・不正開放防止装置、３・・・ケース、４・・・チューブ、５・・・ワイヤ、６・・・チューブ固定具、７・・・ワイヤ固定具、１１・・・リール、１３・・・ゼンマイ、１５・・・爪車、１６・・・ストッパー、１７・・・スライダー、１７ａ・・・当接面、１７ｂ・・・突起、１８・・・ピン、１９・・・コイルスプリング、２１・・・モーター、２１ａ・・・回転軸、２３・・・回転部材、２３ａ・・・接触端、２５・・・マイクロスイッチ、３１・・・制御部、３３・・・リモコン、３５・・・リモコン信号受信部、３７・・・操作パネル、３９・・・ランプ。
【図１】
0003125934.tif 000003
【図２】
0003125934.tif 000004
【図３】
0003125934.tif 000005
【図４】
0003125934.tif 000006
【図５】
0003125934.tif 000007